(57)【特許請求の範囲】
【請求項１】
送風機４を内蔵した装置本体１と、この装置本体１に着脱自在なセット本体２と、揮散性薬剤を有する薬剤保持体３を備え、
前記セット本体２は、前記薬剤保持体３が着脱自在に取付けられる薬剤保持体設置部７と、前記薬剤保持体３が着脱自在に収納される薬剤保持体収納部８を有し、
前記装置本体１とセット本体２で、前記薬剤保持体収納部８が密閉されて密閉空間９を形成すると共に、薬剤保持体設置部７及び送風機４を通る空気流路を形成することを特徴とする薬剤拡散装置。
【請求項２】
装置本体１は、一側凹陥部１０と一側面１２及び他側凹陥部１１と他側面１３を有し、
薬剤保持体設置部７は、前記他側凹陥部１１に嵌合すると共に、その端面７ａが他側面１３に接する形態で、
薬剤保持体収納部８は、前記一側凹陥部１０に嵌合すると共に、その端面８ａが一側面１２に密接して密閉空間９を形成する形態で、
前記装置本体１に形成した第１通気口５と前記他側面１３に形成した第２通気口１４で空気流路を形成した請求項１記載の薬剤拡散装置。
【請求項３】
装置本体１とセット本体２は相互にスライドさせることで着脱自在な形態で、
一側凹陥部１０の一側面１２と反対側寄りに支持部を設け、薬剤保持体収納部８の端面８ａと反対側寄りに当接部を設け、
この当接部を支持部に当接することで端面８ａを一側面１２に密接するようにした請求項２記載の薬剤拡散装置。
【請求項４】
薬剤保持体設置部７と薬剤保持体収納部８を弾性材料の連結部材６０で連結し、
この連結部材６０の弾性復元力で各端面７ａ，８ａを他側面１３、一側面１２にそれぞれ密接するようにした請求項２記載の薬剤拡散装置。
【発明の詳細な説明】
【０００１】
【発明の属する技術分野】
本発明は、送風機を用いて揮散性薬剤を気中に放出する薬剤拡散装置に関し、さらに詳しくは、運搬、保管、店頭陳列などの商品流通時及び、一度使用した後に使用を中止した休止時に揮散性薬剤が自然に気中に放出することを防止できる薬剤拡散装置に関する。
【０００２】
【従来の技術】
吸い込み口と吐き出し口を有する装置本体と、この装置本体内に設けた送風機と、前記吸い込み口又は吐き出し口に揮散性薬剤を有する薬剤保持体を備え、送風機を駆動することで薬剤保持体に送風して揮散性薬剤を吐き出し口から気中に放出する薬剤拡散装置が知られている。
【０００３】
前述した従来の薬剤拡散装置は、装置本体に設けた薬剤保持体は吸い込み口、吐き出し口で気中に連通しているので、送風機を停止した状態でも薬剤保持体の揮散性薬剤が自然に気中に放出されてしまう。
このため従来は、工場などの製造現場において薬剤保持体を装置本体とは別に袋などに入れて密封状態に包装し、装置本体とともに箱に入れ、その状態で製造現場から販売店まで運搬したり、倉庫などに保管したり、店頭陳列することで、前述した商品流通時に薬剤保持体の揮散性薬剤が自然に気中に放出されることを防止している。
【０００４】
【発明が解決しようとする課題】
前述のようにして商品流通時に揮散性薬剤が自然に気中に放出されることを防止すると、薬剤保持体を包装する袋が必要で、その袋のコストだけ薬剤拡散装置が高価となってしまう。
また、薬剤拡散装置を使用する時には袋をやぶいて薬剤保持体を取り出し、その薬剤保持体を装置本体にセットするので、そのやぶいた袋は家庭内発生廃棄物（つまり、ゴミ）となり、家庭内発生廃棄物が多くなる。
【０００５】
前述のように薬剤保持体を装置本体にセットし、送風機を駆動して使用している際に、送風機を停止して使用を中止した休止時には薬剤保持体が吸い込み口、吐き出し口から気中に連通するので、揮散性薬剤が自然に気中に放出されることを防止できない。
このために、休止期間中に薬剤保持体から揮散性薬剤が順次気中に放出されて減少し、無駄である。
【０００６】
本発明は前述の課題に鑑みなされたものであり、その目的は、商品流通時に揮散性薬剤が自然に気中に放出されることがないこと、そのために部品点数が多くならずに低価格であると共に、家庭内発生廃棄物を減少できること、休止時にも揮散性薬剤が自然に気中に放出されることがなく、長期間休止した場合でも再度使用が可能で、揮散性薬剤が無駄にならないこと、を満足できるようにした薬剤拡散装置を提供することである。
【０００７】
【課題を解決するための手段】
第１の発明は、送風機４を内蔵した装置本体１と、この装置本体１に着脱自在なセット本体２と、揮散性薬剤を有する薬剤保持体３を備え、
前記セット本体２は、前記薬剤保持体３が着脱自在に取付けられる薬剤保持体設置部７と、前記薬剤保持体３が着脱自在に収納される薬剤保持体収納部８を有し、
前記装置本体１とセット本体２で、前記薬剤保持体収納部８が密閉されて密閉空間９を形成すると共に、薬剤保持体設置部７及び送風機４を通る空気流路を形成することを特徴とする薬剤拡散装置である。
【０００８】
第２の発明は、第１の発明において装置本体１は、一側凹陥部１０と一側面１２及び他側凹陥部１１と他側面１３を有し、
薬剤保持体設置部７は、前記他側凹陥部１１に嵌合すると共に、その端面７ａが他側面１３に接する形態で、
薬剤保持体収納部８は、前記一側凹陥部１０に嵌合すると共に、その端面８ａが一側面１２に密接して密閉空間９を形成する形態で、
前記装置本体１に形成した第１通気口５と前記他側面１３に形成した第２通気口１４で空気流路を形成した薬剤拡散装置である。
【０００９】
第３の発明は、第２の発明において装置本体１とセット本体２は相互にスライドさせることで着脱自在な形態で、
一側凹陥部１０の一側面１２と反対側寄りに支持部を設け、薬剤保持体収納部８の端面８ａと反対側寄りに当接部を設け、
この当接部を支持部に当接することで端面８ａを一側面１２に密接するようにした薬剤拡散装置である。
【００１０】
第４の発明は、第２の発明において薬剤保持体設置部７と薬剤保持体収納部８を弾性材料の連結部材６０で連結し、
この連結部材６０の弾性復元力で各端面７ａ，８ａを他側面１３、一側面１２にそれぞれ密接するようにした薬剤拡散装置である。
【００１１】
【作  用】
第１の発明によれば、薬剤保持体収納部８に薬剤保持体３を収納してセット本体２を装置本体１に取付けることで、その薬剤保持体３は密閉空間９内に収納された状態となる。
よって、商品流通時に揮散性薬剤が自然に気中に放出されることがない。
【００１２】
また、使用時にはセット本体２を装置本体１から外し、薬剤保持体３を薬剤保持体設置部７に取付け、再びセット本体２を装置本体１に取付けて送風機４を駆動することで薬剤保持体３に空気が流通し、揮散性薬剤を気中に放出できる。
よって、使用時に不用となる部品がなく、部品点数が多くならずに低価格である。
しかも、家庭内廃棄物が生じないから、家庭内発生廃棄物を減少できる。
【００１３】
使用の途中で中止する場合には、セット本体２を装置本体１から外し、薬剤保持体３を薬剤保持体収納部８に収納して再びセット本体２を装置本体１に取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００１４】
第２の発明によれば、一側凹陥部１０に薬剤保持体収納部８、他側凹陥部１１に薬剤保持体設置部７がそれぞれ嵌合するようにセット本体２を装置本体１に取付けることで、薬剤保持体収納部８の端面８ａが一側面１２に密接して密閉空間９を形成するので、セット本体２を装置本体１に容易に取付けできると共に、密閉空間９を形成できる。
【００１５】
第３の発明によれば、薬剤保持体収納部８の当接部が一側凹陥部１０の支持部に当接することで、その端面８ａが一側面１２に押し付けられて確実に密接するから、密閉空間９を確実に形成できる。
【００１６】
第４の発明によれば、連結部材６０の弾性復元力で薬剤保持体収納部８の端面８ａが一側面１２に押しつけられて密接するから、密閉空間９を確実に形成できる。
【００１７】
【発明の実施の形態】
本発明の第１の実施の形態を図１〜図５に基づいて説明する。
装置本体１とセット本体２と薬剤保持体３と送風機４で薬剤拡散装置を構成している。
前記装置本体１は第１通気口５を有すると共に、図３に示すように前記送風機４が内蔵され、その送風機４を駆動すると第１通気口５に空気が流通する。
前記セット本体２は図４に示すように、開口部６を有する薬剤保持体設置部７と薬剤保持体収納部８を備え、このセット本体２は装置本体１に着脱自在である。
前記薬剤保持体３は揮散性薬剤を有し、図５に実線で示すように前記薬剤保持体設置部７に着脱自在に取付けられると共に、図５に仮想線で示すように前記薬剤保持体収納部８に着脱自在に収納される。
【００１８】
前記セット本体２を装置本体１に取付けると、図５に示すように、その薬剤保持体収納部８が装置本体１で密閉されて密閉空間９を形成すると共に、薬剤保持体３と第１通気口５が連通して薬剤保持体３と送風機４を通る空気流路を形成する。
【００１９】
このようであるから、商品流通時には、図５に仮想線で示すように薬剤保持体収納部８に薬剤保持体３を収納し、セット本体２を装置本体１に取付けることで、その薬剤保持体収納部８が装置本体１で密閉されて密閉空間９を形成する。
よって、薬剤保持体３は密閉空間９内に収納されるので、その薬剤保持体３の揮散性薬剤が自然に気中に放出されることがない。
【００２０】
使用時には、セット本体２を装置本体１から外し、薬剤保持体３を薬剤保持体設置部７に設置する。
再び、セット本体２を装置本体１に取付けることで、図５に実線で示すように薬剤保持体３が送風機４と対向すると共に、開口部６と対向する。
よって、送風機４を駆動することで薬剤保持体３に空気が流通し、その揮散性薬剤が空気流路を経て第１通気口５から気中に放出される。
【００２１】
前述のようにして使用している途中で送風機４を停止して使用を中止し休止する場合には、セット本体２を装置本体１から外し、薬剤保持体３を薬剤保持体収納部８に収納する。
再び、セット本体２を装置本体１に取付けることで、図５に仮想線で示すように薬剤保持体３が密閉空間９に収納されるので、長期休止する場合でも揮散性薬剤が自然に気中に放出されることがなく、揮散性薬剤が無駄にならない。
【００２２】
次に各部材の形態を説明する。
前記装置本体１は、一側凹陥部１０と他側凹陥部１１及び一側凹陥部１０の底部となる一側面１２と他側凹陥部１１の底部となる他側面１３を有する。
前記一側面１２と他側面１３は間隔を置いて対向し、その両者の間に送風機４が設けてある。その他側面１３に第２通気口１４が形成され、送風機４を駆動すると第１通気口５と第２通気口１４に空気が流通する。
具体的には、装置本体１は断面ほぼ下向きＵ字形状の外殻板１５と、この外殻板１５の内面に固着した一側縦板１６、他側縦板１７と、その一側縦板１６、他側縦板１７に亘って固着した下面板１８で送風機用室１ａを有する形状で、この送風機用室１ａにファン４ａと電動モータ４ｂを有する送風機４が取付けてあると共に、外殻板１５に複数のスリットが送風機用室１ａに開口して形成されて前述の第１通気口５を形成している。
【００２３】
前記外殻板１５の一側寄りと一側縦板１６で下方と一側方に開口した一側凹陥部１０を形成し、一側縦板１６が前述の一側面１２である。
前記外殻板１５の他側寄りと他側縦板１７で下方と他側方に開口した他側凹陥部１１を形成し、他側縦板１７が前述の他側面１３である。
前記外殻板１５の一側端縁、他側端縁に沿って内向突片１９が設けてあり、この内向突片１９が一側凹陥部１０、他側凹陥部１１における一側面１２、他側面１３と反対側寄りに設けた支持部を形成している。
【００２４】
前記セット本体２は薬剤保持体設置部７と薬剤保持体収納部８を基部２０に間隔を置いて設けた形態である。
前記薬剤保持体設置部７と薬剤保持体収納部８は相対向した端面７ａ、８ａに開口した設置用凹部２１と収納用凹部２２を有し、その設置用凹部２１の底部に孔２３が形成され、その孔２３が開口部６である。
前記薬剤保持体収納部８は、前記一側凹陥部１０に着脱自在に嵌合する形態で、その端面８ａが一側面１２に密着して収納用凹部２２を閉塞して前述の密閉空間９を形成する。
【００２５】
前記薬剤保持体設置部７は、前記他側凹陥部１１に着脱自在に嵌合する形態で、その端面７ａが他側面１３に密着し、前述の第２通気口１４が設置用凹部２１と連続する。好ましくは気密して連続する。
【００２６】
具体的には、前記基部２０と薬剤保持体設置部７と薬剤保持体収納部８は上向きコ字形状で、各対向した端面７ａ，８ａ間の間隔が前記一側面１２と他側面１３間の寸法と同一、好ましくは若干小さい。
前記基部２０は中空形状で電池収納室２０ａを有し、その電池収納室２０ａに電池２４が設けられる。
【００２７】
前記薬剤保持体設置部７の外表面２５はほぼＵ字形状で、その外表面２５には、前記支持部（内向突片１９）に接する当接部、例えば外向突片２６が設けてある。
前記薬剤保持体収納部８の外表面２７はほぼＵ字形状で、その外表面２７には前記支持部（内向突片１９）に接する当接部、例えば外向突片２８が設けてある。
【００２８】
前記薬剤保持体３は通気性を有する容器３０内に揮散性薬剤を含浸した担持体３１を所定量収納した形態で、その容器３０を薬剤保持体設置部７に挿入して取付けられると共に、薬剤保持体収納部８内に収納される。
例えば、容器３０の両側面３０ａに通気孔３２が形成され、周面３０ｂにフランジ３３が設けてあり、容器３０を設置用凹部２１に挿入することでそのフランジ３３が開口部６の開口縁内側に当接して容器３０の一部が突出して取付けられる。
【００２９】
このようであるから、セット本体２を装置本体１に下から上に向けてスライドして嵌合することで各外向突片２６，２８が各内向突片１９にそれぞれ接して薬剤保持体設置部７、薬剤保持体収納部８が他側凹陥部１１、一側凹陥部１０にしっかりと嵌合して保持されると共に、薬剤保持体収納部８の端面８ａが一側面１２に密着すると共に、薬剤保持体設置部７の端面７ａが他側面１３に接し、基部２０の上面が下面板１８に接する。
【００３０】
つまり、前記端面８ａと外向突片２８との間隔が一側面１２（一側縦板１６）と内向突片１９の間隔よりも若干小さく、その端面８ａと外向突片２８が一側面１２と内向突片１９との間に押し込められることで、薬剤保持体収納部８の端面８ａが一側面１２に密着すると共に、しっかりと嵌合する。
また、端面７ａと外向突片２６との間隔が他側面１３（他側縦板１７）と内向突片１９の間隔よりも若干小さく、その端面７ａと外向突片２６が他側面１３と内向突片１９との間に押し込められることで、薬剤保持体設置部７の端面７ａが他側面１３に強く接してしっかりと嵌合する。
【００３１】
前記薬剤保持体設置部７、薬剤保持体収納部８を装置本体１よりも軟質材として若干圧縮弾性変形するようにしたり、各端面７ａ，８ａ又は他側面１３、一側面１２に気密材を設けることで、各端面７ａ，８ａと他側面１３、一側面１２が確実に密着するようにしても良い。
また、装置本体１とセット本体２に相互に係合、離脱自在なフックとフック受を設け、セット本体２を装置本体１に抜けないように保持することもできる。
【００３２】
前記支持部と当接部を溝と、その溝に嵌まり込む突条としても良い。
前記薬剤保持体３としては、セラミック、陶器、またはスポンジなどから成形された多孔質加工体に揮散性薬剤を含浸させたものでも良い。
この場合には、多孔質加工体の形状、大きさは薬剤保持体設置部７、薬剤保持体収納部８とほぼ同一とする。
また、前記薬剤保持体３は揮散性薬剤を含浸した粒剤、粉剤を通気性袋に充填したものでも良い。
この場合には、通気性袋を薬剤保持体設置部７、薬剤保持体収納部８に押し込むように詰めて設置、収納する。
【００３３】
前記薬剤保持体３の容器３０と薬剤保持体設置部７に相互に係合するへこみ、凹凸などの係合部を設け、容器３０をしっかりと取付けできるようにしても良い。
例えば、容器３０のフランジ３３に凹部を設け、薬剤保持体設置部７の開口部６周縁部分に凸部を設け、この凹部と凸部を係合して容器３０をしっかりと取付ける。
【００３４】
前述の実施の形態では送風機４を駆動することで、薬剤保持体３を通って第２通気口１４から空気を吸い込み、その空気は第１通気口５から揮散性薬剤とともに気中に放出される。
つまり、第２通気口１４が吸い込み口で、第１通気口５が吹き出し口である。なお、第１通気口５から空気を吸い込み、第２通気口１４から気中に放出するようにしても良い。この場合には第１通気口５が吸い込み口で、第２通気口１４が吐き出し口である。
【００３５】
次に、本発明の第２の実施の形態を図６と図７に基づいて説明する。
この実施の形態は薬剤保持体設置部７を、装置本体１にセット本体２を取付けた後に薬剤保持体３を取付けできる形態としたことが前述の第１の実施の形態と異なり、他の形態は同様である。
装置本体１の他側凹陥部１１は図６に示すように薬剤保持体３（容器３０）を上から下に向けて挿入できる形態である。
例えば、外殻板１５の他側面１３から突出した部分における上部分が切欠きされた形状である。
セット本体２の薬剤保持体設置部７は図６に示すように薬剤保持体３を上から下に向けて挿入できる形態である。
例えば、設置用凹部２１がほぼ上向き半円形状で、開口部６はほぼ上向き形状である。
【００３６】
セット本体２は装置本体１に第１の実施の形態と同様に取付けられる。
装置本体１の他側凹陥部１１から薬剤保持体３をセット本体２の薬剤保持体設置部７に上方から下方に向けて挿入することで取付ける。
これによって、容器３０のフランジ３３が開口部６の開口縁内側に当接すると共に、容器３０の一方の側面３０ａが装置本体１の他側面１３に接して取付けられる。
また、容器３０を引き抜くようにすることで薬剤保持体３を取り外しできる。
【００３７】
このようであるから、装置本体１にセット本体２を取付けた状態で薬剤保持体設置部７に薬剤保持体３を取付けたり、取り外したりすることができる。
【００３８】
次に、本発明の第３の形態を図８〜図１１に基づいて説明する。
この実施の形態は電池収納室を装置本体１に設けると共に、セット本体２を装置本体１の上から下方に向けて嵌合して取付けることが前述の第１の実施の形態と異なり、他の形態はほぼ同様である。
前記装置本体１の外殻板１５は図１０に示すように、矩形状の中空部１５ａと、一対の縦板１５ｂと一対の端面板１５ｃを有し、その中空部１５ａが電池収納室を形成し、電池２４が設けてある。
前記外殻板１５の中空部１５ａを形成する内側下壁１５ｄと一対の縦板１５ｂの内面に亘って一側縦板１６、他側縦板１７がそれぞれ設けられ、その一側縦板１６、他側縦板１７の上部寄りと一対の縦板１５ｂとに亘ってほぼ下向きＵ字形状の上面板１８ｂを設けて送風機用室１ａを形成している。前記一対の端面板１５ｃにはほぼ上向きＵ字形状の切欠部１５ｅが形成され、その残存した部分が外向突片１９を形成している。
【００３９】
前記セット本体２は図１１に示すように、基部２０と薬剤保持体設置部７と薬剤保持体収納部８でほぼ下向きコ字形で、その基部２０は平板形状である。
このようであるから、セット本体２を装置本体１に上から下に向けて移動して嵌合することで取付けできる。
【００４０】
なお、基部２０を弾性材として、その弾性復元力を利用して端面７ａ，８ａを他側面１３、一側面１２に密着しても良い。
例えば、板状の基部２０をほぼ下向きＶ字形状とし、各端面７ａ，８ａが平行でなく上向きＶ字形状とする。
装置本体１の一側面１２と他側面１３を平行とする。
このようにすることで、基部２０の弾性力を利用して各端面７ａ，８ａを他側面１３、一側面１２に密着する。
この場合には内向突片１９、外向突片２６，２８を設けなくとも良い。
【００４１】
次に、本発明の第４の実施の形態を図１２〜図１４に基づいて説明する。
この実施の形態は、薬剤保持体設置部７と薬剤保持体収納部８が弾性を有する連結部材により相対向して連結され、その連結部材を弾性変形して薬剤保持体設置部７と薬剤保持体収納部８を離隔する方向に変位させて装置本体１に取付け、前述の連結部材の弾性復元力を利用してしっかりと保持すると共に、密閉空間９を形成することが前述の各実施の形態と大きく異なり、他の形態は同様である。
【００４２】
装置本体１はほぼ下向きＵ字形状の周面板４０と一側縦板４１と他側縦板４２と底面板４３と中間横板４４と一側中間縦板４５と他側中間縦板４６で電池収納室１ｂと送風機用室１ａを有する。前記一側縦板４１に開口部４７を形成して前述の一側凹陥部１０を形成し、一側中間縦板４５が前述の一側面１２である。
前記他側縦板４２に開口部４８を形成して前述の他側凹陥部１１を形成し、他側中間縦板４６が前述の他側面１３である。
前記周面板４０に複数のスリット４９を送風機用室１ａに開口して形成し、前述の第１通気口５とする。
前記他側中間縦板４６に孔５０を形成し、前述の第２通気口１４とする。この孔５０には十文字形状の支持片５１が設けられ、薬剤保持体設置部７の端面７ａが接する面積を広くしてしっかりと支持できるようにしてあると共に、送風機４を保護している。なお、この支持片５１は設けなくとも良い。
【００４３】
前記一側中間縦板４５には凹部４５ａが形成され、薬剤保持体収納部８の開口部外周面が凹部４５ａに嵌まり合うことで密封度合を向上できるようにしてある。
なお、凹部４５ａの代わりに囲い枠、囲い溝（環状の溝）を設け、薬剤保持体収納部８の開口縁部が囲い枠、囲い溝に嵌合して密封度合を向上しても良い。
【００４４】
前記薬剤保持体設置部７は前記開口部４８よりも若干小さなほぼ半球形状で、その設置用凹部２１はほぼ半球形状である。複数の孔５２を形成して通気性を有するものとしてある。
前記薬剤保持体収納部８は前記開口部４７よりも若干小さなほぼ半球形状で、その収納用凹部２２はほぼ半球形状である。
前記薬剤保持体設置部７と薬剤保持体収納部８は弾性を有する連結部材６０で連結してある。
この連結部材６０はＵ字形状に湾曲した帯状で、その両端部が薬剤保持体設置部７と薬剤保持体収納部８にそれぞれ連結されている。例えば、樹脂材によって一体成形する。
【００４５】
薬剤保持体３は通気性の容器３０内に揮散性薬剤を含有した粒状の担持体３１を収納したものである。その容器３０はほぼ半球体形状で、前記半球形状の設置用凹部２１、収納用凹部２２内に嵌まり合うようにしてあると共に、全面に多数の通気孔３２、例えばスリットが形成してある。
【００４６】
前記薬剤保持体設置部７、薬剤保持体収納部８と薬剤保持体３とには相互に嵌合する凹部と凸部が形成され、薬剤保持体３が振動などで薬剤保持体設置部７、薬剤保持体収納部８から脱落しないようにしてある。
例えば、設置用凹部２１の中央部、収納用凹部２２の中央部に凸部５３がそれぞれ形成され、薬剤保持体３の容器３０の球面中央部に凹部３４が形成してある。
容器３０を設置用凹部２１、収納用凹部２２に嵌め込むことで凹部３４と凸部５３が嵌合する。
【００４７】
前記薬剤保持体３は設置用凹部２１、収納用凹部２２と同形のセラミックや陶器の多孔質加工体や固形の紙や繊維などのパレット状の加工体であっても良い。また、薬剤保持体設置部７と薬剤保持体収納部８の連結形態は、前述の形状に限ることはなく、形状・寸法などを変えることで持ち運び、吊り下げなどできるものとし、より商品価値を高めることができる。
【００４８】
このようであるから、連結部材６０を弾性変形して薬剤保持体設置部７と薬剤保持体収納部８を離隔させ、それぞれを開口部４７，４８から一側凹陥部１０、多側凹陥部１１に嵌め込む。
これによって、連結部材６０の弾性復元力で各端面７ａ，８ａが他側面１３、一側面１２にそれぞれ密着して密閉空間９を形成すると共に、第２通気口１４と設置用凹部２１が連続する。
【００４９】
したがって、商品流通時や休止時には図１３に仮想線で示すように薬剤保持体３を薬剤保持体収納部８に収納することで、揮散性薬剤が自然に気中に放出されることを防止できる。
また、使用時には図１３に実線で示すように薬剤保持体３を薬剤保持体設置部７に取付け、送風機４を駆動して容器３０内を通って第２通気口１４から空気を吸い込むことで、第１通気口５から揮散性薬剤を気中に放出できる。
【００５０】
本発明の薬剤拡散装置に係る装置本体１及びセット本体２の形状は、限定されず自由に企画及び設計することができる。また、それらの製作についても、既存の合成樹脂など材料を用い、従来の成形方法などにより行われる。
装置本体１の第１通気口の形状、大きさ、形成位置なども任意に設定できる。また、装置本体１には、送風機４、送風機４と電池収納室の他に、スイッチ、ランプ、タイマーなどを装備することができる。一方、セット本体２の薬剤保持体設置部７、薬剤保持体収納部８はお互いに連結状態にあり、一体化されていればお互いの位置が対称、非対称の何れであっても良い。
【００５１】
また、前記薬剤保持体設置部７、薬剤保持体収納部８、薬剤保持体３は、係止、嵌め込み、回転止め、ネジ止めなどで着脱自在としても良い。
【００５２】
本発明の薬剤保持体３に用いる揮散性薬剤としては、常温、送風などの条件で揮散する殺虫剤、忌避剤、害虫成長制御剤、芳香消臭剤、消臭剤、防カビ剤、防菌剤などが挙げられる。
【００５３】
本発明の薬剤保持体３は、前記揮散性薬剤を含有する担持体（粉剤、粒剤など）や担持体の成形体（ネット、シート、プレート、多孔体、繊維体、綿体、スポンジ体など）、またはそれらの収納体（通気性容器、通気性袋など）である。また、薬剤保持体は、その形態、材質を任意に設定することができる。簡単な構造で、通気性の大きいものが好ましい。
例えば、通気孔を有する容器形状、網形状、ハニカム形状、すのこ形状、格子形状、開孔形状などの構造が挙げられる。材質は、例えば、紙、合成樹脂、セラミック、繊維などの公知のものが使用できる。
【００５４】
本発明に用いる送風機４のファンとしては、軸流ファン、プロペラファンなど任意のファンを用いることができるが、送風音や消費電力の面からシロッコファンが好ましい。
【００５５】
【発明の効果】
請求項１に係る発明によれば、薬剤保持体収納部８に薬剤保持体３を収納してセット本体２を装置本体１に取付けることで、その薬剤保持体３は密閉空間９内に収納された状態となる。
よって、商品流通時に揮散性薬剤が自然に気中に放出されることがない。
【００５６】
また、使用時にはセット本体２を装置本体１から外し、薬剤保持体３を薬剤保持体設置部７に取付け、再びセット本体２を装置本体１に取付けて送風機４を駆動することで薬剤保持体３に空気が流通し、揮散性薬剤を気中に放出できる。
よって、使用時に不用とる部品がなく、部品点数が多くならずに低価格である。
しかも、家庭内廃棄物が生じないから、家庭内発生廃棄物を減少できる。
【００５７】
使用の途中で中止する場合には、セット本体２を装置本体１から外し、薬剤保持体３を薬剤保持体収納部８に収納して再びセット本体２を装置本体１に取付けることで、前述のように揮散性薬剤が自然に気中に放出されることを防止できる。
よって、休止時にも揮散性薬剤が自然に気中に放出されることがなく、長期間休止した場合でも再度使用が可能で、揮散性薬剤が無駄にならない。
【００５８】
請求項２に係る発明によれば、一側凹陥部１０に薬剤保持体収納部８、他側凹陥部１１に薬剤保持体設置部７がそれぞれ嵌合するようにセット本体２を装置本体１に取付けることで、薬剤保持体収納部８の端面８ａが一側面１２に密接して密閉空間９を形成するので、セット本体２を装置本体１に容易に取付けできると共に、密閉空間９を形成できる。
【００５９】
請求項３に係る発明によれば、薬剤保持体収納部８の当接部が一側凹陥部１０の支持部に当接することで、その端面８ａが一側面１２に押し付けられて確実に密接するから、密閉空間９を確実に形成できる。
【００６０】
請求項４に係る発明によれば、連結部材６０の弾性復元力で薬剤保持体収納部８の端面８ａが一側面１２に押しつけられて密接するから、密閉空間９を確実に形成できる。
【図面の簡単な説明】
【図１】本発明の第１の実施の形態を示す組立て状態の全体斜視図である。
【図２】分解した状態の斜視図である。
【図３】装置本体の断面図である。
【図４】セット本体の断面図である。
【図５】組立て状態の全体断面図である。
【図６】本発明の第２の実施の形態を示す分解した状態の斜視図である。
【図７】組立て状態の全体断面図である。
【図８】本発明の第３の実施の形態を示す全体正面図である。
【図９】図８のＡ−Ａ断面図である。
【図１０】装置本体の断面図である。
【図１１】セット本体の断面図である。
【図１２】本発明の第４の実施の形態を示す全体正面図である。
【図１３】全体断面図である。
【図１４】分解した状態の斜視図である。
【符号の説明】
１…装置本体、２…セット本体、３…薬剤保持体、４…送風機、５…第１通気口、６…第２通気口、７…薬剤保持体装置部、７ａ…端面、８…薬剤保持体収納部、８ａ…端面、９…密閉空間、１０…一側凹陥部、１１…他側凹陥部、１２…一側面、１３…他側面、１４…第３通気口、１９…内向突片（支持部）、２６，２８…外向突片（当接部）、６０…連結部材。
【図１】
0004147812.tif 000002
【図２】
0004147812.tif 000003
【図３】
0004147812.tif 000004
【図４】
0004147812.tif 000005
【図５】
0004147812.tif 000006
【図６】
0004147812.tif 000007
【図７】
0004147812.tif 000008
【図８】
0004147812.tif 000009
【図９】
0004147812.tif 000010
【図１０】
0004147812.tif 000011
【図１１】
0004147812.tif 000012
【図１２】
0004147812.tif 000013
【図１３】
0004147812.tif 000014
【図１４】
0004147812.tif 000015